(57)【要約】      （修正有）【課題】物干し等に吊り下げて乾燥させやすい構成を有したモップ本体等を提供する。【解決手段】モップ本体Ｍは、帯状をなす基部１と、当該基部１に縫着され当該基部１の両側端縁から外方に延出するように設けられた複数のモップ糸２、３とを備えてなる。そして、モップ本体Ｍが、基部１を略直線状をなすように展開させた展開姿勢（Ｔ）と、基部１における長手方向中間部を折り曲げ部分１１として二つ折りにした二つ折り姿勢（Ｆ）とを採り得るものであり、二つ折り姿勢（Ｆ）における基部１が挟持部材４によって挟持されるように構成されている。【選択図】図４
0003223966.tif 000002
【実用新案登録請求の範囲】
【請求項１】
支持体に対して着脱可能に支持されるモップ本体であって、
前記モップ本体が、帯状をなす基部を略直線状をなすように展開させた展開姿勢と、前記基部における長手方向両端部間を折り曲げ部分として複数折りにした折り姿勢とを採り得るものであり、
前記折り姿勢における前記基部が前記支持体に支持されるように構成されたモップ本体。
【請求項２】
前記複数折りが、二つ折りである請求項１記載のモップ本体。
【考案の詳細な説明】
【技術分野】
【０００１】
本考案は、清掃用具であるモップを構成するモップ本体に関する。
【背景技術】
【０００２】
従来から、床面等を拭き掃除するための清掃用具であるモップが既知である（例えば特許文献１参照）。
【０００３】
ところで、この種のモップには、使用者が支持し得る柄を有した支持体と当該支持体に着脱可能に支持されたモップ本体とを有しているものがある。支持体は、柄の先端にモップ本体を挟持し得る挟持部材を備えている。モップ本体は、帯状をなす基部と当該基部に縫着され当該基部の両側端縁から外方に延出するように設けられた複数のモップ糸とを備えている。
【０００４】
モップ本体は、吸水性に優れた複数のモップ糸を有しており、清掃時には一定程度の水を吸水した状態で使用されることが通常である。そして、清掃の用を終えたモップ本体は洗浄され、その後、絞り器等により水が絞り取られる。しかる後に、モップ本体は、支持体から離脱され、物干し器具に吊り下げられた状態で一定の時間をかけて乾かされることになる。
【０００５】
ところが、従来のモップ本体は、基部が支持体の挟持部材よりも短い寸法に設定されており、当該基部に対して一定の清掃能力を発揮させるべく複数のモップ糸が密に縫着されたものとなっていた。このため、従来のモップ本体は、使用後に絞り器等を使用しても複数のモップ糸が密集しているせいで吸い込んだ水を適切に絞り切れないという不具合や、物干し等に掛けても密集した複数のモップ糸に風が通り難く乾燥を終えるのに長時間を要するという不具合を有していた。乾きにくいモップ本体は、雑菌等の繁殖を抑制し難いため、悪臭の一因になることは言うまでもない。
【先行技術文献】
【特許文献】
【０００６】
【特許文献１】実開平０５−００５０６３号公報
【考案の概要】
【考案が解決しようとする課題】
【０００７】
本考案は、このような課題に着目してなされたものであって、少なくとも、物干し等に掛けて乾燥させやすい構成を有したモップ本体を提供することにある。
【課題を解決するための手段】
【０００８】
すなわち、本考案は次の構成をなしている。
【０００９】
請求項１に記載の考案は、支持体に対して着脱可能に支持されるモップ本体であって、前記モップ本体が、帯状をなす基部を略直線状をなすように展開させた展開姿勢と、前記基部における長手方向両端部間を折り曲げ部分として複数折りにした折り姿勢とを採り得るものであり、前記折り姿勢における前記基部が前記支持体に支持されるように構成されたモップ本体である。
【００１０】
請求項２に記載の考案は、前記複数折りが、二つ折りである請求項１記載のモップ本体である。
【考案の効果】
【００１１】
以上説明したように本考案によれば、少なくとも物干し等に掛けて乾燥させやすい構成を有したモップ本体を提供することができるものとなる。
【図面の簡単な説明】
【００１２】
【図１】本考案の一実施形態を示す平面図（展開姿勢）。
【図２】同実施形態を示す平面図（二つ折り姿勢）。
【図３】図２における模式的なＸ方向矢視図。
【図４】同実施形態を示す斜視図。
【図５】同実施形態を示す斜視図。
【図６】同実施形態を示す斜視図。
【考案を実施するための形態】
【００１３】
以下、本考案の一実施形態を、図１〜５を参照して説明する。なお、図１は、展開姿勢（Ｔ）のモップ本体Ｍを説明するための平面図であり、仮想水平面の上に展開姿勢（Ｔ）のモップ本体Ｍを整然と配した状態のものを表している。また、図２に示すものは、図１と同様に仮想水平面の上に折り姿勢である二つ折り姿勢（Ｆ）のモップ本体Ｍを整然と配した状態のものを表している。図３は、図２におけるＸ方向矢視図であり、構造説明の便宜のために模式的なものを示している。
【００１４】
モップ本体Ｍは、支持体Ｓに対して着脱可能に支持されるものである。すなわち、モップ本体Ｍは、支持体Ｓに取り付けられることにより、当該支持体Ｓと協働して床面等を拭き掃除するための清掃用具であるモップＡを構成し得るものとなっている。
【００１５】
まずは、支持体Ｓについて説明する。
【００１６】
支持体Ｓは、既知の構成のものである。支持体Ｓは、使用者が把持し得る柄部Ｊの先端にモップ本体Ｍの基部１を挟持し得る挟持部材４を設けてなるものである。
【００１７】
支持体Ｓの挟持部材４は、左右方向に長手をなし互いに略平行に配された第一、第二の挟持部分４１、４２を有している。挟持部材４は、第一の挟持部分４１と第二の挟持部分４２とを相寄る方向に移動させることにより、モップ本体Ｍの基部１を挟むことができるようになっている。第一、第二の挟持部分４１、４２の挟持可能な幅寸法ｗ３は、約３０ｃｍに設定されており、展開姿勢（Ｔ）をなすモップ本体Ｍにおける基部１の長手方向の寸法ｗ１よりも短いものとなっている。
【００１８】
挟持部材４を構成する第一の挟持部分４１は、柄部Ｊの先端に固定されている。一方で、挟持部材４を構成する第二の挟持部分４２は、対をなすアーム４３の先端部間に架設されている。第二の挟持部分４２は、柄部Ｊに枢支されたロック部材４４の動作に連動して第一の挟持部分４１に対して接離動作し得るものとなっている。
【００１９】
続いて、モップ本体Ｍについて説明する。
【００２０】
モップ本体Ｍは、ポリエステルを用いた化学繊維とレーヨンを主材にして作られたものである。モップ本体Ｍは、中央部に位置した帯状をなす基部１と、当該基部１に縫着され当該基部１の両側端縁たる一方の側端縁ｅａ及び他方の側端縁ｅｂから外方に延出するように設けられた複数のモップ糸すなわち複数の一方側モップ糸２、及び、複数の他方側モップ糸３とを備えてなるものである。
【００２１】
基部１は、複数の一方側及び他方側のモップ糸２、３を保持し得る帯状のものである。基部１における短手方向の寸法すなわち幅寸法ｗ２は、２〜４ｃｍの範囲内に設定されるものであり、この実施形態では約３ｃｍに設定されている。
【００２２】
基部１は、展開姿勢（Ｔ）において、長手方向の寸法ｗ１が４０〜５０ｃｍの範囲内に設定されるものであり、この実施形態では約４８ｃｍに設定されている。つまり、展開姿勢（Ｔ）において、基部１における長手方向の寸法ｗ１は、挟持部材４における第一、第二の挟持部分４１、４２の幅寸法ｗ３よりも長く設定されている。
【００２３】
複数の一方側及び他方側のモップ糸２、３は、一本の直径が約２〜３ｍｍに設定されている。複数の一方側及び他方側のモップ糸２、３は、基端部が基部１に縫着されており、外方に延出している部分が重力に従って垂下し得る柔軟性を有している。複数の一方側及び他方側のモップ糸２、３は、基部１における一方及び他方の側端縁ｅａ、ｅｂから外方に延出するように設けられている。この実施形態では、複数の一方側及び他方側のモップ糸２、３は、それぞれ基部１の両側端縁ｅａ、ｅｂから外方に向かって２３〜２５ｃｍの長さに延びている。
【００２４】
しかして、本実施形態に示されるモップ本体Ｍは、図１に示すように、基部１を略直線状をなすように展開させた展開姿勢（Ｔ）と、図２及び図３に示すように、基部１における長手方向両端部間すなわち基部１における長手方向中間部を折り曲げ部分１１として複数折りである二つ折りにした二つ折り姿勢（Ｆ）とを採り得るものとなっている。
【００２５】
基部１は、二つ折り姿勢（Ｆ）において、折り曲げ部分１１を境界として、一方側の基部構成部分１ａと他方側の基部構成部分１ｂとが厚み方向に重なり合うものとなっている。
【００２６】
二つ折り姿勢（Ｆ）において、一方側の基部構成部分１ａに縫着された複数の一方側モップ糸２、及び、他方側の基部構成部分１ｂに縫着された複数の一方側モップ糸２は、相互に寄り集まることになる。これと同様に、二つ折り姿勢（Ｆ）において、一方側の基部構成部分１ａに縫着された複数の他方側モップ糸３、及び、他方側の基部構成部分１ｂに縫着された複数の他方側モップ糸３は、相互に寄り集まることになる。
【００２７】
モップ本体Ｍは、二つ折り姿勢（Ｆ）で、支持体Ｓの挟持部材４に挟持されるものとなっている。この実施形態では、図４に示すように、二つ折り姿勢（Ｆ）における基部１の一方側の外面たる上面が、第一の挟持部分４１により下向きに挟圧されるとともに、二つ折り姿勢（Ｆ）における基部１の他方側の外面たる下面が、第二の挟持部分４２により上向きに挟圧されることにより、モップ本体Ｍが支持体Ｓの挟持部材４に挟持されるものとなっている。
【００２８】
図５に示すように、モップ本体Ｍが支持体Ｓに支持された状態では、基部１は二つ折り状態で挟持部材４に挟まれた状態となり、複数の一方側及び他方側モップ糸２、３は自重によって垂下した姿勢をなすものとなる。
【００２９】
一方で、モップ本体Ｍは、支持体Ｓの挟持部材４に挟持されていないときは、基部１を略直線状に伸張させた展開姿勢（Ｔ）をとり得るものとなっている。
【００３０】
つまり、モップ本体Ｍは、モップＡとしての清掃の役割を終えた後に、支持体Ｓから離脱される。そして、モップ本体Ｍは、必要に応じて洗浄や絞り作業等が行われた後に、図６に示すように、展開姿勢（Ｔ）で物干しＨに掛けられて乾かされるものとなっている。
【００３１】
以上に詳述したように、本実施形態に係るモップ本体Ｍは、支持体Ｓに対して着脱可能に支持されるものである。そして、支持体Ｓが、使用者が把持し得る柄部Ｊの先端にモップ本体Ｍを挟持し得る挟持部材４を設けてなるものである。モップ本体Ｍは、帯状をなす基部１と、当該基部１に縫着され当該基部１の両側端縁から外方に延出するように設けられた複数のモップ糸すなわち複数の一方側及び他方側のモップ糸２、３とを備えてなる。モップ本体Ｍは、基部１を略直線状をなすように展開させた展開姿勢（Ｔ）と、基部１における長手方向中間部を折り曲げ部分１１として二つ折りにした二つ折り姿勢（Ｆ）とを採り得るものであり、二つ折り姿勢（Ｆ）における基部１が挟持部材４によって挟持されるように構成されている。
【００３２】
このため、従来のものと同様に一定本数のモップ糸２、３によってモップＡとしての清掃能力を発揮し得るとともに、使用後においても、物干しＨ等に掛けて乾燥させやすい構成を有したモップ本体Ｍを提供することができるものとなる。
【００３３】
つまり、モップ本体Ｍは、支持体Ｓに対して着脱可能に構成されているものであり、且つ、二つ折り姿勢（Ｆ）における基部１が支持体Ｓの挟持部材４により挟持される構成をなしている。そのため、支持体Ｓから離脱した不使用状態では、モップ本体Ｍが展開姿勢（Ｔ）を採り得るものとなるため、複数の一方側及び他方側のモップ糸２、３が従来と比べて過度に密集し難くなり、物干しＨ等に掛けて乾燥させやすい構成を備えたものとなる。
【００３４】
展開姿勢（Ｔ）において、基部１における長手方向の寸法ｗ１が、挟持部材４の幅寸法ｗ３よりも長く設定されたものである。このため、本実施形態のモップ本体Ｍであれば、二つ折り姿勢（Ｆ）をなすことにより、一般に普及している支持体Ｓの挟持部材４に支持され得る寸法を実現し得るものとなる。
【００３５】
この実施形態のものは、展開姿勢（Ｔ）において、基部１の長手方向寸法ｗ１が４５〜５０ｃｍに設定されている。一方で、一般に普及している支持体Ｓの挟持部材４における第一、第二の挟持部分４１、４２の挟持可能な幅寸法ｗ３は約３０ｃｍに設定されていることが通常である。このため、本実施形態のモップ本体Ｍであれば、二つ折り姿勢（Ｆ）を採ることにより、基部１を３０ｃｍ以下の幅寸法に変更した上で、挟持部材４に挟持させ得るものとなっている。
【００３６】
挟持部材４が、二つ折り姿勢（Ｆ）における基部１の一方側の外面を挟圧し得る第一の挟持部分４１と二つ折り姿勢（Ｆ）における基部１の他方側の外面を挟圧し得る第二の挟持部分４２とを有したものである。このため、挟持部材４によりモップ本体Ｍの基部１を適切に挟持してモップＡとしての清掃能力を好適に発揮し得るものとなっている。
【００３７】
なお、本考案は、以上に詳述した実施形態に限られるものではない。
【００３８】
モップ本体の折り姿勢は、二つ折りに限られるものではなく、二以上の複数折りができるものであってもよい。すなわち、モップ本体の折り姿勢が、基部における長手方向両端部間を折り曲げ部分として三つ折り以上の複数折りができるものであってもよい。
【００３９】
上述した実施形態に示した物干しは、単なる一例を示したものであり、種々の形態の物干しによりモップ本体を干してよいのはもちろんのことである。
【００４０】
モップ本体の素材は種々のものを適用し得るものであり、上述した実施形態に示したものに限られるものではない。
【００４１】
支持体に設けた挟持部材は、モップ本体を挟持し得る構成を有したものであればよく、上述した実施形態に示したものに限られるものではない。
【００４２】
基部に対して縫着される複数のモップ糸の本数は、モップ糸の直径や材質等に応じて適宜の本数に設定され得るものである。
【００４３】
その他、各部の具体的構成についても上記実施形態に限られるものではなく、本考案の趣旨を逸脱しない範囲で種々変形が可能である。
【符号の説明】
【００４４】
Ｍ…モップ本体
１…基部
２…一方側モップ糸（モップ糸）
３…他方側モップ糸（モップ糸）
Ｓ…支持体
Ｊ…柄部
４…挟持部材
【図１】
0003223966.tif 000003
【図２】
0003223966.tif 000004
【図３】
0003223966.tif 000005
【図４】
0003223966.tif 000006
【図５】
0003223966.tif 000007
【図６】
0003223966.tif 000008